(57)【要約】【課題】  乗場からかご位置が確認できる場合でも待ち客に不快感を与えず、運転効率の良いサービスとする。【解決手段】  複数台のエレベーターの運行を管理し、乗場呼びが発生した場合、各エレベーターの乗りかごを選択して乗場呼びに応答させるエレベーターを割当てる群管理エレベーターにおいて、乗場呼びが登録された階を通過予定とされたエレベーターが生じる場合、応答させるエレベーター，階，通過予定とされたエレベーターとの相対的関係により通過予定とされたエレベーターを乗場呼びに応答させる。【選択図】図３
2010064874.tif 000002
【特許請求の範囲】
【請求項１】
複数台のエレベーターの運行を管理し、乗場呼びが発生した場合、各エレベーターの乗りかごを選択して乗場呼びに応答させるエレベーターを割当てる群管理エレベーターにおいて、
前記乗場呼びが登録された階を通過予定とされたエレベーターが生じる場合、前記応答させるエレベーター，前記階，前記通過予定とされたエレベーターとの相対的関係により前記通過予定とされたエレベーターを前記乗場呼びに応答させることを特徴とする群管理エレベーター。
【請求項２】
請求項１に記載のものにおいて、前記相対的関係は前記応答させるエレベーターと前記通過予定とされたエレベーターとが前記階に到着すると予測される時間に基づいて決定されることを特徴とする群管理エレベーター。
【請求項３】
請求項１に記載のものにおいて、前記相対的関係は前記応答させるエレベーターと前記通過予定とされたエレベーターとの距離に基づいて決定されることを特徴とする群管理エレベーター。
【請求項４】
請求項１に記載のものにおいて、前記相対的関係は前記応答させるエレベーターと前記通過予定とされたエレベーターとの階床差に基づいて決定されることを特徴とする群管理エレベーター。
【請求項５】
請求項１に記載のものにおいて、前記相対的関係は前記応答させるエレベーターと前記通過予定とされたエレベーターの現時点で停止可能な階床に基づいて決定されることを特徴とする群管理エレベーター。
【請求項６】
請求項１に記載のものにおいて、前記相対的関係は前記応答させるエレベーターと前記通過予定とされたエレベーターとのかご位置表示装置による表示位置に基づいて決定されることを特徴とする群管理エレベーター。
【請求項７】
請求項１に記載のものにおいて、前記相対的関係は前記応答させるエレベーターと前記通過予定とされたエレベーターと前記階までの停止階床数に基づいて決定されることを特徴とする群管理エレベーター。
【発明の詳細な説明】
【技術分野】
【０００１】
本発明は、複数台のエレベーターの運行を統括管理する群管理システムに係り、乗場からかご位置が確認できるものに好適である。
【背景技術】
【０００２】
従来、同一昇降路内を上かごと下かごが独立して走行可能なマルチカーエレベーターにおいて、現時点から方向反転するまでのかごの相対距離を算出し、この値が予め設定された水準値より悪くなった場合に既に登録済みの乗場呼びを割当て変更することが知られ、例えば、特許文献１に記載されている。
【０００３】
また、エレベーターの位置に応じて、そのエレベーターに対し乗場呼びを優先的に割当てるゾーンを設定し、少なくともそのゾーンと上記乗場呼びに対する予測待機時間とを演算して評価指標を求めることが特許文献２に記載されている。
【０００４】
さらに、乗場呼びが割当てられているエレベーターの到着予測時間が所定値以上になり、且つそれより到着予測時間の短いエレベーターがある場合、そのエレベーターに乗場呼びの割当てを変更することが特許文献３に記載されている。
【０００５】
さらに、乗場呼びが割当てられたかごを即時に予報し、そのかごよりも先に到着するかごが生じたときに、乗場のかご位置表示を一時的に到着確立表示に切り換えることにより、待ち客に与える戸惑いや焦燥感を和らげることが特許文献４に記載されている。
【０００６】
【特許文献１】特開２００７−２２３７６５号公報
【特許文献２】特開平１−２２６６７６号公報
【特許文献３】特公昭５５−１１９８９号公報
【特許文献４】特開平８−８１１４７号公報
【発明の開示】
【発明が解決しようとする課題】
【０００７】
上記従来技術においては、個々の乗場呼びに対して最適なエレベーターを割当てると混雑する時間帯に長待ち状態の乗場呼びが多発する為、全ての乗場呼びに対して最適となるエレベーターの割当てを行い、運行効率の向上を図っている。その結果、待ち客がいる乗場をエレベーターが頻繁に通過してしまい、乗場からかご位置が確認できる場合、その階にいる待ち客に対しては、不快感を与えてしまう。
【０００８】
また、単に、待ち客に不快感を与えないように、待ち客がいる場合は通過するエレベーターに割当て変更し、必ずその階にサービスさせるものでは、運行効率を大幅に低下させることになる。  
さらに、待ち客がいる階床をエレベーターが通過する場合、かご位置表示を到着確率表示に切り換え乗場の待ち客に通過を気付かせ難くするものでは、乗場側とエレベーター側の間の隔壁によっては、待ち客から通過エレベーターが見えるので、エレベーターの通過を乗場待ち客に気付かせてしまうことになる。
【０００９】
本発明の目的は、上記従来技術の課題を解決し、乗場からかご位置が確認できる場合でも待ち客に不快感を与えず、運転効率の良いサービスとすることにある。
【課題を解決するための手段】
【００１０】
上記目的を達成するため、本発明は、複数台のエレベーターの運行を管理し、乗場呼びが発生した場合、各エレベーターの乗りかごを選択して乗場呼びに応答させるエレベーターを割当てる群管理エレベーターにおいて、前記乗場呼びが登録された階を通過予定とされたエレベーターが生じる場合、前記応答させるエレベーター，前記階，前記通過予定とされたエレベーターとの相対的関係により前記通過予定とされたエレベーターを前記乗場呼びに応答させるものである。
【発明の効果】
【００１１】
本発明によれば、乗場からかご位置が確認できる階に待ち客がいる状況において、エレベーターが通過後、待ち時間が長いと予測される場合は通過を許可せず、待ち時間が短いと予測される場合は通過を許可するので、通過による不快感を削減するとともに、エレベーターの運行効率の低下を抑制できる。
【発明を実施するための最良の形態】
【００１２】
以下、本発明の一実施の形態を図面を参照して説明する。  
図１は、エレベーターの乗場の外観図を示し、エレベーターは乗りかごが群管理制御によって昇降する。１ａ，１ｂ，１ｃはエレベーターの乗場ドアを示す。各乗場ドア１ａ，１ｂ，１ｃの上方側には、乗場からかご位置が確認できる乗場のかご位置表示装置２ａ，２ｂ，２ｃが設けられている。乗場ドア１ａ，１ｂ，１ｃのそれぞれの間に、乗場呼びの登録操作を行う乗場呼び登録装置３を設置する。３０ａは上方向乗場釦、３０ｂは下方向乗場釦である。
【００１３】
図２は、制御部の全体構成図を示し、群管理制御装置１１，Ａ号機制御装置１２，Ｂ号機制御装置１３，Ｃ号機制御装置１４を備える。群管理制御装置１１は図１に示した上方向乗場呼び登録釦３０ａ，下方向乗場呼び登録釦３０ｂを含む、各階床の乗場呼び登録装置３と接続され、これらの操作により入力された乗場呼び信号に対して各号機の乗りかごの位置と既登録かご呼び情報などをもとに割当評価演算を行って最適な乗りかごを選択して乗場呼びに応答させる。
【００１４】
群管理制御装置１１はＡ号機制御装置１２，Ｂ号機制御装置１３，Ｃ号機制御装置１４と接続される。Ａ号機制御装置１２は乗場呼びへの応答指示を群管理制御装置１１から受けると、自号機エレベーター用の図示しない巻き上げ機を制御して乗場呼びに応答させるべく自号機エレベーターの乗りかごを昇降させる。
【００１５】
また、Ａ号機制御装置１２はかご位置表示装置２ａと接続され、Ｂ号機制御装置１３はかご位置表示装置２ｂ、Ｃ号機制御装置１４はかご位置表示装置２ｃと接続される。
【００１６】
図３は基本的な概念を説明する図であり、１７階床のビルに複数台のエレベーターが設置されてあり、今回はその中の２台のエレベーターについて説明する。Ａ号機が１１階、Ｂ号機が１６階にいる場合を想定している。
【００１７】
図３の現在の状態で、Ａ号機は３階の乗場呼びと１階のかご呼びにより下降方向に走行中である。Ｂ号機は１階のかご呼びにより下降方向に走行中である。この状況下で、新規に５階から下方向の乗場呼びが発生した場合の運行サービスを説明する。
【００１８】
従来技術の場合、３，５階の待ち客の待ち時間が平均的に短くなるように、Ｂ号機を５階の新規の乗場呼びに割当てる。よって、Ａ号機は５階の乗場呼びを通過する。仮に、Ａ号機が５階を通過直後にＢ号機に複数の乗場呼びに割当てられた場合、Ｂ号機が到着するまで５階の待ち客は乗場で長時間エレベーターを待つことになり、焦燥感を与えてしまう。また、この状況下で、Ａ号機に割当て変更した場合、一度通過したエレベーターがサービスすることになり、同様に不快感を与えてしまう。
【００１９】
本例では、Ａ号機が乗場呼び発生階を通過する時に、発生階においてＡ号機とＢ号機が到着すると予測される時間を演算し、その差が所定時間を超える場合には、５階の新規乗場呼びの割当てをＢ号機からＡ号機に割当て変更し、Ａ号機を５階に停止させる。これにより５階の待ち客のエレベーター通過後の長待ちによる不快感を削減できる。また、Ａ号機とＢ号機が到着すると予測される時間の差が、所定時間を超えない場合には、５階の新規乗場呼びの割当てをＢ号機からＡ号機に割当て変更しない。したがって、より、待ち客に適応すると共に、全体の運行効率の低下を抑えることができる。
【００２０】
図４は、エレベーターの割当て変更を示すフローチャートである。  
エレベーターが乗場呼び発生階を通過する場合の割当て変更について説明する（ステップ１）。エレベーター通過予定階の呼びを割当てられている号機（Ａ号機）の通過予定階への到着予測時間を演算し、演算結果をＡ′とする（ステップ２）。通過予定階を通過するエレベーター（Ｂ号機）の到着予測時間を演算し、演算結果をＢ′とする（ステップ３）。Ａ′とＢ′の差を計算し、その差が所定時間内の場合（ステップ４）、割当て変更は無く、Ａ号機が通過予定階へサービスする（ステップ５）。しかし、Ａ′とＢ′の差が所定時間を超えた場合（ステップ４）、Ａ号機からＢ号機へ割当て変更し、Ｂ号機が通過予定階へサービスする（ステップ６）。
【００２１】
この例では、乗場呼び発生階のエレベーター通過判定を、到着予測時間の比較で行ったが、比較対象をエレベーター間の距離，エレベーターの現在いる階床，エレベーターの現時点で停止可能な階床（図７），エレベーターの表示位置（図８），かご位置表示装置２ａ，２ｂでの数字による表示，エレベーターの乗場呼び発生階までの停止階床数（図９）としてもよい。図５〜図９は、それぞれ、エレベーター通過判定時の比較対象を変更した場合を説明する図である。
【図面の簡単な説明】
【００２２】
【図１】本発明の一実施の形態によるエレベーターの乗場の外観図。
【図２】一実施の形態の全体構成を示すブロック図。
【図３】本発明の一実施の形態による動作説明図。
【図４】本発明の一実施の形態による動作を示すフローチャート。
【図５】本発明の他の実施の形態による動作説明図。
【図６】本発明のさらに他の実施の形態による動作説明図。
【図７】本発明のさらに他の実施の形態による動作説明図。
【図８】本発明のさらに他の実施の形態による動作説明図。
【図９】本発明のさらに他の実施の形態による動作説明図。
【符号の説明】
【００２３】
１ａ，１ｂ，１ｃ  乗場ドア
２ａ，２ｂ，２ｃ  かご位置表示装置
３  乗場呼び登録装置
１１  群管理制御装置
１２  Ａ号機制御装置
１３  Ｂ号機制御装置
１４  Ｃ号機制御装置
３０ａ  上方向乗場釦
３０ｂ  下方向乗場釦
【図１】
2010064874.tif 000003
【図２】
2010064874.tif 000004
【図３】
2010064874.tif 000005
【図４】
2010064874.tif 000006
【図５】
2010064874.tif 000007
【図６】
2010064874.tif 000008
【図７】
2010064874.tif 000009
【図８】
2010064874.tif 000010
【図９】
2010064874.tif 000011